【事件の表示】
　特願２００７−　７８４６８「遊技表示装置」拒絶査定不服審判事件〔平成２０年１０月　９日出願公開、特開２００８−２３７２７７、請求項の数（３）〕について、次のとおり審決する。
【結　論】
　原査定を取り消す。
　本願の発明は、特許すべきものとする。
【理　由】
　
第１ 手続の経緯
　
　本願は、平成１９年３月２６日の出願であって、平成２４年１月３０日付けの拒絶理由の通知に対し、同年４月６日付けで手続補正がなされ、同年１０月１６日付けで拒絶査定がなされ、これに対し、同年１２月１２日付けで拒絶査定に対する審判請求がなされると同時に明細書及び特許請求の範囲に係る手続補正がなされたものである。
　
　さらに、審査官により作成された前置報告書について審尋がなされたところ、審判請求人から平成２５年５月２９日付けで回答書が提出されたものである。
　
　
第２　平成２４年１２月１２日付けの手続補正（以下「本件補正」という。）の適否
　
１．補正の内容
　
　本件補正は、特許請求の範囲を補正する内容を含んでおり、本件補正により、特許請求の範囲の請求項１は、
　
「モータ駆動表示器と、モータ位置検出器と、制御装置と、初期値から所定の数値毎にカウントし、カウントした数値が最終値に到達した後に初期値に戻るカウンタとして構成された乱数カウンタとを備えた遊技表示装置において、
　制御装置が電源の投入に伴いモータ駆動表示器および乱数カウンタを駆動させかつ計時を開始し、モータ位置検出器が被検出部を検出してモータ駆動表示器の回転位置の基準となる位置信号を制御装置に出力すると、制御装置が上記駆動した乱数カウンタの数値を取得しその数値より選択された形象を正面から見えるように上記モータ駆動表示器の駆動を停止させることを特徴とする遊技表示装置。」
　
から
　
「複数の異なる形象が設けられた表示体をモータで回転させるモータ駆動表示器と、モータ位置検出器と、制御装置と、初期値から所定の数値毎にカウントし、カウントした数値が最終値に到達した後に初期値に戻るカウンタとして構成された乱数カウンタとを備えた遊技表示装置において、
　制御装置が電源の投入に伴いモータ駆動表示器を駆動させるとともに乱数カウンタを初期値からカウントさせ、モータ位置検出器が被検出部を検出してモータ駆動表示器の回転位置の基準となる位置信号を制御装置に出力すると、制御装置が上記カウントされた乱数カウンタの数値を取得しその数値より選択された形象を正面から見えるように上記モータ駆動表示器の駆動を停止させることを特徴とする遊技表示装置。」
　
に補正された。
　
　
　上記補正において、「モータ駆動表示器」を、「複数の異なる形象が設けられた表示体をモータで回転させるモータ駆動表示器」とした補正（以下「補正事項１」という。）については、補正前の請求項１に記載した発明を特定するために必要な事項である「モータ駆動表示器」に関して、「複数の異なる形象が設けられた表示体をモータで回転させる」点を限定したものであるから、平成１８年法律第５５号改正附則第３条第１項によりなお従前の例によるとされる同法による改正前の特許法第１７条の２第４項第２号の「特許請求の範囲の減縮」を目的とするものに該当する。
　
　また、「制御装置が電源の投入に伴いモータ駆動表示器および乱数カウンタを駆動させかつ計時を開始し、モータ位置検出器が被検出部を検出してモータ駆動表示器の回転位置の基準となる位置信号を制御装置に出力すると、制御装置が上記駆動した乱数カウンタの数値を取得しその数値より選択された形象を正面から見えるように上記モータ駆動表示器の駆動を停止させる」を「制御装置が電源の投入に伴いモータ駆動表示器を駆動させるとともに乱数カウンタを初期値からカウントさせ、モータ位置検出器が被検出部を検出してモータ駆動表示器の回転位置の基準となる位置信号を制御装置に出力すると、制御装置が上記カウントされた乱数カウンタの数値を取得しその数値より選択された形象を正面から見えるように上記モータ駆動表示器の駆動を停止させる」とする補正（以下「補正事項２」という。）は、「モータ位置検出器」及び「乱数カウンタ」の動作を明りょうに特定・限定するためのものであるから、この補正も容認でき、補正された事項全体としては、特許請求の範囲の減縮を目的とするものと認める。
　
　
　本件補正により、特許請求の範囲の請求項２は、
　
「モータ駆動表示器と、モータ位置検出器と、制御装置と、初期値から所定の数値毎にカウントし、カウントした数値が最終値に到達した後に初期値に戻るカウンタとして構成された乱数カウンタとを備えた遊技表示装置において、
　制御装置が電源の投入に伴いモータ駆動表示器を駆動させるとともに計時を開始し、モータ位置検出器が被検出部を検出してモータ駆動表示器の回転位置の基準となる位置信号を制御装置に出力すると、制御装置が乱数カウンタを駆動した後に上記計時した時間が制御装置に設定された規定時間に到達するのに伴い上記駆動した乱数カウンタの数値を取得しその数値より選択された形象を正面から見えるように上記モータ駆動表示器の駆動を停止させることを特徴とする遊技表示装置。」
　
から
　
「複数の異なる形象が設けられた表示体をモータで回転させるモータ駆動表示器と、モータ位置検出器と、制御装置と、初期値から所定の数値毎にカウントし、カウントした数値が最終値に到達した後に初期値に戻るカウンタとして構成された乱数カウンタとを備えた遊技表示装置において、
　制御装置が電源の投入に伴いモータ駆動表示器を駆動させるとともに計時を開始し、モータ位置検出器が被検出部を検出してモータ駆動表示器の回転位置の基準となる位置信号を制御装置に出力すると、制御装置が乱数カウンタを初期値からカウントさせた後に上記計時した時間が制御装置に設定された規定時間に到達するのに伴い上記カウントされた乱数カウンタの数値を取得しその数値より選択された形象を正面から見えるように上記モータ駆動表示器の駆動を停止させることを特徴とする遊技表示装置。」
　
に補正された。
　
　
　上記補正において、「モータ駆動表示器」を、「複数の異なる形象が設けられた表示体をモータで回転させるモータ駆動表示器」とした補正（以下「補正事項３」という。）については、補正前の請求項２に記載した発明を特定するために必要な事項である「モータ駆動表示器」に関して、「複数の異なる形象が設けられた表示体をモータで回転させる」点を限定したものであるから、平成１８年法律第５５号改正附則第３条第１項によりなお従前の例によるとされる同法による改正前の特許法第１７条の２第４項第２号の「特許請求の範囲の減縮」を目的とするものに該当する。
　
　また、「制御装置が電源の投入に伴いモータ駆動表示器を駆動させるとともに計時を開始し、モータ位置検出器が被検出部を検出してモータ駆動表示器の回転位置の基準となる位置信号を制御装置に出力すると、制御装置が乱数カウンタを駆動した後に上記計時した時間が制御装置に設定された規定時間に到達するのに伴い上記駆動した乱数カウンタの数値を取得しその数値より選択された形象を正面から見えるように上記モータ駆動表示器の駆動を停止させる」を「制御装置が電源の投入に伴いモータ駆動表示器を駆動させるとともに計時を開始し、モータ位置検出器が被検出部を検出してモータ駆動表示器の回転位置の基準となる位置信号を制御装置に出力すると、制御装置が乱数カウンタを初期値からカウントさせた後に上記計時した時間が制御装置に設定された規定時間に到達するのに伴い上記カウントされた乱数カウンタの数値を取得しその数値より選択された形象を正面から見えるように上記モータ駆動表示器の駆動を停止させる」とする補正（以下「補正事項４」という。）は、「モータ位置検出器」及び「乱数カウンタ」の動作を明りょうに特定・限定するためのものであるから、この補正も容認でき、補正された事項全体としては、特許請求の範囲の減縮を目的とするものと認める。
　
　
　本件補正により、特許請求の範囲の請求項３は、
　
「モータ駆動表示器と、モータ位置検出器と、主制御装置と、副制御装置と、初期値から所定の数値毎にカウントし、カウントした数値が最終値に到達した後に初期値に戻るカウンタとして構成された乱数カウンタとを備えた遊技表示装置において、
　主制御装置が電源の投入に伴い計時を開始し、副制御装置が電源の投入に伴いモータ駆動表示器を駆動させ、モータ位置検出器が被検出部を検出してモータ駆動表示器の回転位置の基準となる位置信号を副制御装置に出力すると、副制御装置が乱数カウンタを駆動し、上記主制御装置で計時した時間が主制御装置に設定された規定時間に到達すると副制御装置にコマンドを出力し、そのコマンドの入力に伴い副制御装置が上記駆動した乱数カウンタの数値を取得しその数値より選択された形象を正面から見えるように上記モータ駆動表示器の駆動を停止させることを特徴とする遊技表示装置。」
　
から
　
「複数の異なる形象が設けられた表示体をモータで回転させるモータ駆動表示器と、モータ位置検出器と、主制御装置と、副制御装置と、初期値から所定の数値毎にカウントし、カウントした数値が最終値に到達した後に初期値に戻るカウンタとして構成された乱数カウンタとを備えた遊技表示装置において、
　主制御装置が電源の投入に伴い計時を開始し、副制御装置が電源の投入に伴いモータ駆動表示器を駆動させ、モータ位置検出器が被検出部を検出してモータ駆動表示器の回転位置の基準となる位置信号を副制御装置に出力すると、副制御装置が乱数カウンタを初期値からカウントさせ、上記主制御装置で計時した時間が主制御装置に設定された規定時間に到達すると副制御装置にコマンドを出力し、そのコマンドの入力に伴い副制御装置が上記カウントされた乱数カウンタの数値を取得しその数値より選択された形象を正面から見えるように上記モータ駆動表示器の駆動を停止させることを特徴とする遊技表示装置。」
　
に補正された。
　
　
　上記補正において、「モータ駆動表示器」を、「複数の異なる形象が設けられた表示体をモータで回転させるモータ駆動表示器」とした補正（以下「補正事項５」という。）については、補正前の請求項３に記載した発明を特定するために必要な事項である「モータ駆動表示器」に関して、「複数の異なる形象が設けられた表示体をモータで回転させる」点を限定したものであるから、平成１８年法律第５５号改正附則第３条第１項によりなお従前の例によるとされる同法による改正前の特許法第１７条の２第４項第２号の「特許請求の範囲の減縮」を目的とするものに該当する。
　
　また、「主制御装置が電源の投入に伴い計時を開始し、副制御装置が電源の投入に伴いモータ駆動表示器を駆動させ、モータ位置検出器が被検出部を検出してモータ駆動表示器の回転位置の基準となる位置信号を副制御装置に出力すると、副制御装置が乱数カウンタを駆動し、上記主制御装置で計時した時間が主制御装置に設定された規定時間に到達すると副制御装置にコマンドを出力し、そのコマンドの入力に伴い副制御装置が上記駆動した乱数カウンタの数値を取得しその数値より選択された形象を正面から見えるように上記モータ駆動表示器の駆動を停止させる」を「主制御装置が電源の投入に伴い計時を開始し、副制御装置が電源の投入に伴いモータ駆動表示器を駆動させ、モータ位置検出器が被検出部を検出してモータ駆動表示器の回転位置の基準となる位置信号を副制御装置に出力すると、副制御装置が乱数カウンタを初期値からカウントさせ、上記主制御装置で計時した時間が主制御装置に設定された規定時間に到達すると副制御装置にコマンドを出力し、そのコマンドの入力に伴い副制御装置が上記カウントされた乱数カウンタの数値を取得しその数値より選択された形象を正面から見えるように上記モータ駆動表示器の駆動を停止させることを」とする補正（以下「補正事項６」という。）は、「モータ位置検出器」及び「乱数カウンタ」の動作を明りょうに特定・限定するためのものであるから、この補正も容認でき、補正された事項全体としては、特許請求の範囲の減縮を目的とするものと認める。
　
　そこで、本件補正後の請求項１ないし３に記載された発明（以下「本願補正発明１」、「本願補正発明２」、「本願補正発明３」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
　
２．独立特許要件について
　
（１）刊行物に記載された発明
　
（刊行物１について）
　
　原査定の拒絶の理由に引用された特許第２６７６１９６号公報（以下「刊行物１」という。）には、次の記載がある（下線は審決で付した。以下同じ。）。
　
（１−ａ）「【０００８】（１）弾球遊技機全体の構成
まず、図３を参照して、この実施形態が適用される弾球遊技機の一例としての
パチンコ遊技機
遊技盤１２が遊技盤止着部材２８によって着脱自在に設けられている。
　
（１−ｂ）「【００１０】前記遊技盤１２の表面には、発射された打玉を誘導するための打玉誘導レール１３ａと、該打玉誘導レール１３ａによって誘導された打玉が落下するための遊技領域１４を区画する遊技領域形成レール１３ｂがほぼ円状に植立されている。
遊技領域１４のほぼ中央には、回転部材としての複数の回転ドラム７６ａ〜７６ｃを有する可変表示装置６０が設けられ、
　
（１−ｃ）「【００１６】また、
パチンコ遊技機１の背面には、機構板２９が開閉自在に取り付けられている。
　
（１−ｄ）「【００２３】更に、機構板２９には、前記アウト口２４から排出されるアウト玉を誘導するアウト玉誘導樋４４が取り付けられ、このアウト玉誘導樋４４に誘導されたアウト玉がその流下端であるアウト玉放出口４５からパチンコ遊技機１外に排出されるようになっている。また、
機構板２９には、可変表示装置６０や可変入賞球装置１１０を制御するための制御回路基板を収納した制御基板ボックス４８や、パチンコ遊技機１の電源を供給するためのターミナルボックス４９が取り付けられている。
【００２４】（２）可変表示装置
次に、図５ないし図１４を参照して可変表示装置６０の構成について説明する。
可変表示装置６０は、前記遊技盤１２の表面に取り付けられる取付基板６１と、遊技盤１２の裏面に取り付けられる駆動機構部分を収納する駆動部収納ボックス７４とに分けられる。
　
（１−ｅ）「【００２８】
駆動部収納ボックス７４は、前方を開放した箱状に形成され、その前方上下には、前記駆動部取付枠部材６９と固定するための取付穴９０ａ〜９０ｄが穿設され、その内部に回転部材としての回転ドラム７６ａ〜７６ｃが収容されるようになっている。
複数の識別情報が描かれた回転部材としての回転ドラム７６ａ〜７６ｃと、該回転ドラム７６ａ〜７６ｃを回転せしめるモータとしてのステッピングモータ７７ａ〜７７ｃと、
　
（１−ｆ）「【００３５】
前記回転ドラム７６ａ〜７６ｃの一側外周縁の一部には、切欠部８９ａ〜８９ｃが所定の長さをもって切り欠けられている。
ホトトランジスタ９８ａ〜９８ｃが切欠部８９ａ〜８９ｃを検出することにより識別情報の種類を検出するようになっている。
　
（１−ｇ）「【００３８】また、前記通過穴９４ａ〜９４ｃは、回転ドラムユニット機構７５ａ〜７５ｃが駆動部収納ボックス７４に固定されたときに前記回転ドラム７６ａ〜７６ｃの一側外周縁に形成された切欠部８９ａ〜８９ｃが回転してくる位置に対応するように穿設されている。そして、
ホトトランジスタ９８ａ〜９８ｃが切欠部８９ａ〜８９ｃを検出したときにＯＮとなるように設定され、切欠部８９ａ〜８９ｃ以外の位置のときにはＯＦＦとなるように設定されている。
　
（１−ｈ）「【００４１】（３）可変表示装置の動作
上記した構成からなる可変表示装置６０の動作について図１０ないし図１４を参照して説明すると、
可変表示装置６０に設けられるステッピングモータ（ＳＰモータ）７７ａ〜７７ｃ及びホトトランジスタ（センサ）９８ａ〜９８ｃは、図１０に示すように入出力回路（Ｉ／Ｏ）１３４を介してマイクロコンピュータ１３０に接続されている。
【００４２】ところで、
電源が投入されたときには、可変表示装置６０は、図１１に示す動作を行う。すなわち、電源がＯＮされたか否かを判別し（ステップＳ１）、ＯＮされたときには、すべてのステッピングモータ７７ａ〜７７ｃ（以下、ＳＰ１〜３モータという）が駆動開始される（ステップＳ２，Ｓ２′，Ｓ２″）。
　
（１−ｉ）「【００４４】ステップＳ３でステップカウンタＳＣ１がリセット値を検出したときには、センサ１（ホトトランジスタ９８ａ）がＯＮか否かが判別される（ステップＳ４）。これは、
センサ１が切欠部８９ａを検出したときにＯＮと判別される。
【００４５】一方、センサ１がＯＮしたときには、回転ドラム７６ａに表示されるべき識別情報に対応する表示データのステップ数ｎ１を呼出し処理し（ステップＳ５）、その後、ステップカウンタＳＣ１の値と上記表示データのステップ数ｎ１とが同じか否かが判別され（ステップＳ８）、同じとなったときに
ＳＰ１モータが停止されて（ステップＳ９）、予め定められた識別情報が表示される。
　
（１−ｊ）「【００５８】
【発明の効果】以上、説明したところから明らかなように、本発明においては、可変表示装置は、複数の識別情報が描かれた回転部材と、該回転部材を回転せしめるモータと、を含んで構成される一方、可変表示装置を駆動制御する駆動制御手段には、電源投入時に前記モータを駆動して所定の識別情報を表示したとき停止させる初期駆動制御手段を包含しているので、営業開始時等において、
次々と弾球遊技機の電源を投入し、その後、可変表示装置の表示部に予め定められた識別情報が表示されていないときには、即座に、可変表示装置の故障であることが分かる。
　
　以上の事項をまとめると、刊行物１には、次の発明（以下「刊行物１発明」という。）が開示されていると認められる。
　
「複数の識別情報が描かれた回転ドラムをステッピングモータで回転せしめる可変表示装置と、ホトトランジスタと、マイクロコンピュータとを備えたパチンコ遊技機において、電源がＯＮされたときにはステッピングモータが駆動開始され、ホトトランジスタが切欠部を検出すると、予め定められた識別情報が表示されるようにモータが停止されるパチンコ遊技機。」
　
（刊行物２について）
　
　また、原査定の拒絶の理由に引用された特開平７−３１３６８７号公報（以下「刊行物２」という。）には、次の記載がある。
　
 （２−ａ）「【００３０】次に、図８に、図６における初期値生成手段の具体的な構成例の他の例を示す。これは、空間的にランダムな数を発生する回路の他の実施例である。このようにして、より
ランダムな数を発生させ、
遊技機の電源投入時の特別図柄表示装置への表示図柄とする
Ａ／Ｄ変換値をランダム時間で抽出して、表示用の図柄データとする。
【００３１】このように構成すると、電源投入時に特別図柄表示装置に特定の図柄を表示させると、遊技者が、その図柄を見て、その日その遊技機での遊技が行われていないと判断してその遊技機での遊技を避け、遊技店内の遊技機の使用率に偏りが発生するなどの遊技店経営上の不都合が解消される、という利点がある。この場合、プログラム的に、
電源投入時に初期図柄をランダムにする
電源投入時の初期図柄を容易に異ならせる
　
　以上の事項をまとめると、刊行物２には、以下の事項が開示されていると認められる。
　
「Ａ／Ｄ変換値をランダム時間で抽出してランダムな数を発生することにより、電源投入時の特別図柄表示装置の初期図柄をランダムにする遊技機。」
　
　
（２）対比
　
　本願補正発明１と刊行物１発明とを対比する。
　
　刊行物１発明の
　
「複数の識別情報が描かれた回転ドラム」、
　
「ステッピングモータ」、
　
「可変表示装置」、
　
「ホトトランジスタ」、
　
「マイクロコンピュータ」、
　
「切欠部」は、それぞれ、
　
　本願補正発明１の
　
「複数の異なる形象が設けられた表示体」、
　
「モータ」、
　
「モータ駆動表示器」、
　
「モータ位置検出器」、
　
「制御装置」、
　
「被検出部」に相当する。
　
　また、刊行物１発明の「パチンコ遊技機」が「遊技表示装置」を備えることは明らかである。
　
　したがって、本願補正発明１と、刊行物１発明とは、
　
「複数の異なる形象が設けられた表示体をモータで回転させるモータ駆動表示器と、モータ位置検出器と、制御装置とを備えた遊技表示装置において、モータ位置検出器が被検出部を検出する遊技表示装置。」
　
の点で一致し、下記の点で相違する。
　
［相違点１］：
　
　本願補正発明１は、「遊技表示装置」が「カウントした数値が最終値に到達した後に初期値に戻るカウンタとして構成された乱数カウンタ」を備え、「制御装置が電源の投入に伴いモータ駆動表示器を駆動させるとともに乱数カウンタを初期値からカウントさせ、モータ位置検出器が被検出部を検出してモータ駆動表示器の回転位置の基準となる位置信号を制御装置に出力すると、制御装置が上記カウントされた乱数カウンタの数値を取得しその数値より選択された形象を正面から見えるように上記モータ駆動表示器の駆動を停止させる」のに対して、
　刊行物１発明は、「モータ位置検出器」が「被検出部」を検出すると、予め定められた「形象」が表示されるように「モータ」が停止される点。
　
　
　次に、本願補正発明２と刊行物１発明とを対比する。
　
　刊行物１発明の
　
「複数の識別情報が描かれた回転ドラム」、
　
「ステッピングモータ」、
　
「可変表示装置」、
　
「ホトトランジスタ」、
　
「マイクロコンピュータ」、
　
「切欠部」は、それぞれ、
　
　本願補正発明２の
　
「複数の異なる形象が設けられた表示体」、
　
「モータ」、
　
「モータ駆動表示器」、
　
「モータ位置検出器」、
　
「制御装置」、
　
「被検出部」に相当する。
　
　また、刊行物１発明の「パチンコ遊技機」が「遊技表示装置」を備えることは明らかである。
　
　したがって、本願補正発明２と、刊行物１発明とは、
　
「複数の異なる形象が設けられた表示体をモータで回転させるモータ駆動表示器と、モータ位置検出器と、制御装置とを備えた遊技表示装置において、モータ位置検出器が被検出部を検出する遊技表示装置。」
　
の点で一致し、下記の点で相違する。
　
［相違点２］：
　
　本願補正発明２は、「遊技表示装置」が「カウントした数値が最終値に到達した後に初期値に戻るカウンタとして構成された乱数カウンタ」を備え、「制御装置が電源の投入に伴いモータ駆動表示器を駆動させるとともに計時を開始し、モータ位置検出器が被検出部を検出してモータ駆動表示器の回転位置の基準となる位置信号を制御装置に出力すると、制御装置が乱数カウンタを初期値からカウントさせた後に上記計時した時間が制御装置に設定された規定時間に到達するのに伴い上記カウントされた乱数カウンタの数値を取得しその数値より選択された形象を正面から見えるように上記モータ駆動表示器の駆動を停止させる」のに対して、
　刊行物１発明は、「モータ位置検出器」が「被検出部」を検出すると、予め定められた「形象」が表示されるように「モータ」が停止される点。
　
　
　次に、本願補正発明３と刊行物１発明とを対比する。
　
　刊行物１発明の
　
「複数の識別情報が描かれた回転ドラム」、
　
「ステッピングモータ」、
　
「可変表示装置」、
　
「ホトトランジスタ」、
　
「切欠部」は、それぞれ、
　
　本願補正発明３の
　
「複数の異なる形象が設けられた表示体」、
　
「モータ」、
　
「モータ駆動表示器」、
　
「モータ位置検出器」、
　
「被検出部」に相当する。
　
　また、刊行物１発明の「パチンコ遊技機」が「遊技表示装置」を備えることは明らかである。
　
　したがって、本願補正発明３と、刊行物１発明とは、
　
「複数の異なる形象が設けられた表示体をモータで回転させるモータ駆動表示器と、モータ位置検出器とを備えた遊技表示装置において、モータ位置検出器が被検出部を検出する遊技表示装置。」
　
の点で一致し、下記の点で相違する。
　
［相違点３］：
　
　本願補正発明３は、「遊技表示装置」が「主制御装置と、副制御装置と、初期値から所定の数値毎にカウントし、カウントした数値が最終値に到達した後に初期値に戻るカウンタとして構成された乱数カウンタ」を備え、「主制御装置が電源の投入に伴い計時を開始し、副制御装置が電源の投入に伴いモータ駆動表示器を駆動させ、モータ位置検出器が被検出部を検出してモータ駆動表示器の回転位置の基準となる位置信号を副制御装置に出力すると、副制御装置が乱数カウンタを初期値からカウントさせ、上記主制御装置で計時した時間が主制御装置に設定された規定時間に到達すると副制御装置にコマンドを出力し、そのコマンドの入力に伴い副制御装置が上記カウントされた乱数カウンタの数値を取得しその数値より選択された形象を正面から見えるように上記モータ駆動表示器の駆動を停止させる」のに対して、
　刊行物１発明は、「モータ位置検出器」が「被検出部」を検出すると、予め定められた「形象」が表示されるように「モータ」が停止される点。
　
　
（３）判断
　
　上記相違点について検討する。
　
（相違点１、相違点２及び相違点３について）
　
　刊行物１発明は、「次々と弾球遊技機の電源を投入し、その後、可変表示装置の表示部に予め定められた識別情報が表示されていないときには、即座に、可変表示装置の故障であることが分かる」（上記摘記事項（１−ｊ））と記載があるとおり、電源投入時に常に定められた「形象」を表示することを目的とするものであるので、「電源投入時の初期図柄を容易に異ならせる」（上記摘記事項 （２−ａ））という刊行物２の開示事項とは相反する課題を有している。
　
　したがって、刊行物１発明において、「電源投入時の初期図柄を異ならせる」構成を採用することは、当業者が容易になし得たことであるとはいえない。
　
　また、仮に刊行物１発明において「電源投入時の初期図柄を異ならせる」構成を採用し得たとしても、「乱数カウンタ」と「回転位置の基準となる位置信号」を用いて「形象」を「選択」する構成は、刊行物１及び刊行物２には記載されておらず、当業者が当該構成を容易に想到し得たと考えられる特段の理由もない。
　
　したがって、本願補正発明１、本願補正発明２、及び、本願補正発明３は、刊行物１及び刊行物２に記載された発明に基いて、当業者が容易に発明をすることができたとはいえない。
　
　よって、本件補正の補正事項１、補正事項２、補正事項３、補正事項４、補正事項５、及び、補正事項６は、平成１８年法律第５５号改正附則第３条第１項によりなお従前の例によるとされる同法による改正前の特許法第１７条の２第５項において準用する同法第１２６条第５項の規定に適合する。
　
　
３．むすび
　
　本件補正は、平成１８年法律第５５号改正附則第３条第１項によりなお従前の例によるとされる同法による改正前の特許法第１７条の２第３項ないし第５項の規定に適合する。
　
　
第３　本願発明
　
　本件補正は上記のとおり、平成１８年法律第５５号改正附則第３条第１項によりなお従前の例によるとされる同法による改正前の特許法第１７条の２第３項ないし第５項の規定に適合するから、本願の請求項１ないし３に係る発明は、本件補正により補正された特許請求の範囲の請求項１ないし３に記載された事項により特定されるとおりのものである。
　そして、本願については、原査定の拒絶理由を検討してもその理由によって拒絶すべきものとすることはできない。 
　また、他に本願を拒絶すべき理由を発見しない。 
　よって、結論のとおり審決する。